(57)【要約】【課題】  用紙検出センサとして発光素子と受光素子が一体の光学式の反射型センサを用いた用紙検出装置において、搬送ベルト走行ガイド、搬送ベルトと用紙の反射率が近似している場合であっても、確実に用紙を検出できるようにし、かつ、用紙検出センサの配設位置の移動を可能とする。【解決手段】  用紙を搬送ベルト走行ガイド上の搬送ベルトにエア−吸引させて搬送する用紙搬送機構部と、光学式の反射型センサを用いた用紙検出センサ部とを有するインクジェット記録装置において、前記搬送ベルト走行ガイド、前記搬送ベルト、及び前記用紙に対して、前記用紙検出センサ部を傾斜させて取り付けた。【選択図】  図１
2005212995.tif 000002
【特許請求の範囲】
【請求項１】
用紙を搬送ベルト走行ガイド上の搬送ベルトにエアー吸引させて搬送する用紙搬送機構部と、光学式の反射型センサを用いた用紙検出センサ部とを有するインクジェット記録装置において、前記搬送ベルト走行ガイド、前記搬送ベルト、及び前記用紙に対して、前記用紙検出センサ部を傾斜させて取り付けたことを特徴とするインクジェット記録装置の用紙検出装置。
【請求項２】
前記搬送ベルト走行ガイドの表面は、前記用紙と比べて表面凹凸が少ないことを特徴とする請求項１記載のインクジェット記録装置の用紙検出装置。
【請求項３】
前記搬送ベルトの表面は、前記用紙と比べて表面凹凸が少ないことを特徴とする請求項１記載のインクジェット記録装置の用紙検出装置。
【発明の詳細な説明】
【技術分野】
【０００１】
本発明は、インクジェット記録装置の用紙検出装置に関するものである。
【背景技術】
【０００２】
インクジェット記録装置における用紙搬送路には、発光素子と受光素子が向かい合った光学式の透過型センサ、または発光素子と受光素子が同一面に一体化された光学式の反射型センサが用紙検出センサとして用いられる。
【０００３】
特に反射型センサは、透過型センサよりも配設位置に自由度があり、通常小型プリンタにおいて用紙検出センサとして用いられることが多い。
【０００４】
この光学式の反射型センサを用紙検出センサとして小型プリンタに使用した一例を、図９に示す。
【０００５】
用紙１０は、用紙搬送ローラ９ａ、９ｂによって搬送され、用紙検出センサ１１によって用紙の有無が検出される。用紙検出センサ１１は、用紙が無い状態においては反射板１２と対面しており、図示しない発光素子からの発光Ｇが反射板１２で反射し、図示しない受光素子で受光する。一方、用紙１０がある場合は反射板１２を遮り、発光素子からの図示しない発光が用紙１０で反射し図示しない受光素子で受光する。反射板１２は例えば鏡面状であり、用紙１０の反射率に対して十二分な反射率で光量を受光素子に反射する。この反射率の差で用紙１０の有無を検出している。この場合、センサと反射板の配設位置は固定とすることが多い。
【０００６】
図７に、インクジェット記録装置における用紙搬送機構部１３と用紙検出センサ６の概略図を示す。図７において、１は用紙搬送ベルトであり、搬送ベルトローラ３がＢ方向に回転することで用紙２をＡ方向に搬送する。搬送ベルト１の表面は、図２に示すように無数のエアー吸引用の穴７が空いている。また、搬送ベルト１の内側には搬送ベルト走行ガイド５が有り、図３に示すようにエアー吸引用の溝８が空いている。
【０００７】
このような用紙搬送機構部１３と、エアー吸引ダクト４、図示しないエアーコンプレッサ−により、用紙２は搬送ベルト１にエアー吸引されて搬送される。
また、このような用紙搬送機構部１３の構成では、用紙検出センサとして光学式の反射型センサを用いる場合が多い。
【０００８】
この場合、図９のように、小型プリンタで採用している反射板１２を、回転する用紙搬送ベルト１の内側に配設することが困難である。また、用紙検出センサ６の配設位置の移動を可能にすることからも、反射板１２を用いずに用紙２と用紙搬送ベルト１を用紙検出センサ６で判別する必要がある。
【０００９】
さらに用紙検出センサ６の配設位置によっては、図８に示すように用紙搬送ベルト１のエアー吸着用の穴７位置において、搬送ベルト走行ガイド５の表面も用紙検出センサ６で検出される。
【００１０】
このように、用紙検出センサ６は、用紙２と搬送ベルト１と搬送ベルト走行ガイド５を判別する必要がある。この場合、用紙２と搬送ベルト１、搬送ベルト走行ガイド５の反射率に十分差を持たせなければ、用紙２を誤検出する可能性がある。
ここで、搬送ベルト１は表面に反射率が低い材質、表面加工及び反射率が低い色の塗布を行えば、反射率が高い白い用紙に対して差を持たせることができる。
【００１１】
【特許文献１】特開２０００−２８９８８８号公報
【発明の開示】
【発明が解決しようとする課題】
【００１２】
しかしながら、搬送ベルト走行ガイド５においては、反射率が低い色を塗布しても、走行中は常時搬送ベルト１で擦られるため、経時変化により表面の色が落ちて金属面が現われ反射率が高くなる。よって、白い用紙に対して反射率が近似してしまい、誤検出を起こす原因になる。
【００１３】
本発明は、用紙と搬送ベルト走行ガイドまたは搬送ベルトの反射率が近似した場合であっても確実に用紙を検出できる、用紙検出装置を提供することを目的とする。
【課題を解決するための手段】
【００１４】
上記課題は、搬送ベルト走行ガイド、搬送ベルト及び用紙に対して光学式の反射型センサを傾斜させて配設し、搬送ベルト走行ガイドの表面を凹凸が少なく鏡面状に加工することによって解決される。
【発明の効果】
【００１５】
本発明により、用紙と用紙搬送機構部面の反射率が共に高く近似した場合であっても、確実に用紙を検出できる。また、反射板を必要としないため、用紙検出センサの配設位置を移動させることが可能でなる。
【発明を実施するための最良の形態】
【００１６】
以下、本発明の一実施例を図１〜図６を参照して説明する。
【００１７】
図１は本発明を適用した用紙検出センサ６の実装方向と用紙搬送機構部１３を示しており、説明のため簡略化した図である。図１において、１は用紙搬送ベルトであり、搬送ベルトロ−ラ３がＢ方向に回転することで用紙２をＡ方向に搬送する。搬送ベルト１の表面は、図２に示すように無数のエア−吸引用の穴７が空いている。また、搬送ベルト１の内側には搬送ベルト走行ガイド５が有り、図３に示すようにエア−吸引用の溝８が空いている。
【００１８】
このような用紙搬送機構部１３と、エア−吸引ダクト４、図示しないエア−コンプレッサ−により、用紙２は搬送ベルト１にエア−吸引されて搬送される。用紙検出センサ６は、搬送ベルト走行ガイド５と搬送ベルト１に対して傾斜させて配設している。用紙検出センサ６の傾斜角度は、用紙検出センサ６の受光範囲、搬送ベルト走行ガイド５、搬送ベルト１、及び用紙２の反射光量により決定する。
【００１９】
図４に搬送ベルト１、図５に搬送ベルト走行ガイド５、図６に用紙２それぞれの用紙検出センサ６の図示しない発光素子から図示しない受光素子までの反射光の様子を示す。
【００２０】
図４の搬送ベルト１においては、表面に反射率が低い材質、表面加工及び色の塗布を行うことで、用紙検出センサ６の発光素子から発せられた光の反射光は、受光素子の受光範囲外への反射光Ｃ１、受光範囲内への反射光Ｃ２共に低くなる。
【００２１】
図５の搬送ベルト走行ガイド５においては、表面の凹凸が少なく鏡面状に加工することで、用紙検出センサ６の発光素子から発せられた光の反射光を、主に受光素子の受光範囲外へ反射Ｄ１させることができ、受光範囲への反射光Ｄ２を低くすることができる。
このことは、また、搬送ベルト１の材質がステンレスといった金属製で反射率が高い材質の場合でも、表面の凹凸が少なく鏡面状に加工することで同様の効果が得られる。
【００２２】
図６の用紙２においては、用紙検出センサ６の発光素子から発せられた光は用紙２表面の凹凸に反射して、受光素子の受光範囲外への反射光Ｅ１は低く、受光素子の受光範囲内への反射光Ｅ２は高くなる。
【００２３】
このように用紙検出センサ６を傾斜させ、搬送ベルト走行ガイド５の表面を凹凸が少なく鏡面のように加工することで、搬送ベルト走行ガイド５または搬送ベルト１の表面反射率が高い場合であっても受光素子への反射光を低くすることができ、用紙２は表面凹凸により受光素子への反射光が高いことから、確実に用紙を検出できる。また、反射板を必要としないため、用紙検出センサの配設位置を移動させることが可能となる。
【産業上の利用可能性】
【００２４】
光学式の反射型センサを用紙検出センサとして有する印刷装置に適用できる。
【図面の簡単な説明】
【００２５】
【図１】本発明の一実施例を示す概略側面図。
【図２】本発明の一実施例における用紙搬送ベルトの概略を示す斜視図。
【図３】本発明の一実施例における搬送ベルト走行ガイドの概略を示す斜視図。
【図４】本発明の一実施例における用紙検出センサが用紙搬送ベルトの表面を検出している状態を示す断面図。
【図５】本発明の一実施例における用紙検出センサが搬送ベルト走行ガイドの表面を検出している状態を示す断面図。
【図６】本発明の一実施例における用紙検出センサが用紙の表面を検出してる状態を示す断面図。
【図７】従来例における用紙検出センサを垂直にする形態でのインクジェット記録装置の概略側面図。
【図８】従来例における用紙検出センサが搬送ベルト走行ガイドの表面を検出してる状態を示す断面図。
【図９】従来の小型プリンタにおけるインクジェット記録装置の一例となる概略側面図。
【符号の説明】
【００２６】
１は搬送ベルト、２は用紙、３は搬送ベルトロ−ラ、４はエアー吸引ダクト、５は搬送ベルト走行ガイド、６は用紙検出センサ、７はエア−吸着用の穴、８はエアー吸引用の穴、９は用紙搬送ロ−ラ、１０は用紙、１１は用紙検出センサ、１２は反射板、１３は用紙搬送機構部である。
【図１】
2005212995.tif 000003
【図２】
2005212995.tif 000004
【図３】
2005212995.tif 000005
【図４】
2005212995.tif 000006
【図５】
2005212995.tif 000007
【図６】
2005212995.tif 000008
【図７】
2005212995.tif 000009
【図８】
2005212995.tif 000010
【図９】
2005212995.tif 000011